(57)【要約】【課題】コンパクトなアンテナ装置を提供する。【解決手段】異なる周波数帯を受信する２つのアンテナを具備した固定基部と，各アンテナの出力をで増幅する増幅回路と，増幅した信号の合成回路とからなる信号増幅部を具備した可動基部とからなり，固定基部と可動基部とは，基部の長手方向の一方側で枢着され，そこを回転軸として前記各軸線が直交配置される位置に回転自在に構成され，前記固定基部には，前記固定基部と前記可動基部とを閉じた状態で，前記可動基部方向に配設されるように，前記回転軸に直交する固定基部の両側面端部から，相互に所定の寸法を離して任意の大きさで２つの係止片を形成し，前記可動基部には，前記固定基部と前記可動基部とを閉じた状態で，前記固定基部方向に配設されるように，前記回転軸に直交する可動基部の両側面端部から，相互に所定寸法を離して任意の大きさで２つの係止片を突設させる。 【選択図】  図１
2005354213.tif 000002
【特許請求の範囲】
【請求項１】
アンテナ装置において，
当該アンテナ装置は，異なる周波数帯を受信するために，少なくとも２つのアンテナを具備した固定基部と，
当該アンテナの出力を所定レベルまで増幅する増幅回路と，増幅した後の信号を合成して出力する合成回路とからなる信号増幅部を具備した可動基部とからなり，
前記信号増幅部は，外部からの直流電流を供給することで動作するか，若しくは給電線に重畳された直流電流で動作するよう構成され，
前記固定基部と前記可動基部とは，各基部の長手方向の一方側において枢着され，その枢着点を回転軸として，前記固定基部の一側面と前記可動基部の一側面とが対抗配置され，前記固定基部の長手方向の軸線と，前記可動基部の長手方向の軸線とが並行配置された位置から，前記各軸線が直交配置される位置に回転自在に固着されるよう構成され，
前記固定基部には，前記固定基部と前記可動基部とを閉じた状態にした時に，前記可動基部方向に配設されるように，前記回転軸に直交する固定基部における両側面の端部から，相互に所定の寸法を離して任意の大きさで延設された，少なくとも２つの係止片を突設させ，
前記可動基部には，前記固定基部と前記可動基部とを閉じた状態にした時に，前記固定基部方向に配設されるように，前記回転軸に直交する可動基部における両側面の端部から，相互に所定の寸法を離して任意の大きさで延設された，少なくとも２つの係止片を突設させたことを特徴としたアンテナ装置。 
【請求項２】
前記信号増幅部はシールドケースに収納されたことを特徴とした請求項１に記載のアンテナ装置。
【請求項３】
前記アンテナはＶＨＦ帯受信用とＵＨＦ帯受信用のアンテナであることを特徴とした請求項１又は請求項２に記載のアンテナ装置。
【発明の詳細な説明】
【技術分野】
【０００１】
本発明は，主にアンテナ及び当該アンテナで受信した信号を増幅する増幅回路を備えた小型の可搬型のアンテナ装置に関する。
【背景技術】
【０００２】
パーソナルコンピューター（以下，パソコンと記載する。）の普及は目覚しく，特に近年においてはテレビチューナーを内蔵させて，テレビ放送を受信できるようにしたものが一般的となってきた。この場合，テレビ信号は屋外に設置されたアンテナ装置から伝送線を介して宅内に引き込まれ，宅内に設置されたテレビ端子から例えば同軸ケーブル等を介して接続したり，室内用の小型のアンテナ装置を設置したりすることで，パソコンと接続することで視聴していた。（例えば，特許文献１参照）
【０００３】
【特許文献１】実公平６−１４４８６号公報
【発明の開示】
【発明が解決しようとする課題】
【０００４】
しかし，従来の受信形態によると，テレビ端子から同軸ケーブルを引き回す方法では，パソコンの設置場所によっては室内の美観を損なうものであり，また，設置に際して，テレビ受像機と信号の分配をする必要があったり，同軸ケーブルの加工を必要としたりと言ったことを考慮する必要があり，設置が難しいといった問題があった。また，一般的に売られているテレビ受像機用の室内アンテナは，その設置性は容易であるものの，パソコンの周辺に設置場所を確保する必要が生じ，アンテナの設置場所を含めて占有面積が大きくなるといった問題があった。
そこで本願においては，こうした問題点を解決するためになされたものであり，
その目的は，省スペース化のできるアンテナ装置を提供することにある。
他の目的は，パソコンに着脱自在に載置可能なアンテナ装置を提供することにある。
他の目的は，使用時には安定して取付けが可能で，可搬時には更にコンパクトにできるアンテナ装置を提供することにある。
他の目的は，ＶＨＦ及びＵＨＦ帯の信号を受信するのに適した小型のアンテナ装置を提供することにある。
【課題を解決するための手段】
【０００５】
上記課題を解決するために，請求項１の発明は，アンテナ装置において，
当該アンテナ装置は，異なる周波数帯を受信するために，少なくとも２つのアンテナを具備した固定基部と，当該アンテナの出力を所定レベルまで増幅する増幅回路と，増幅した後の信号を合成して出力する合成回路とからなる信号増幅部を具備した可動基部とからなり，前記信号増幅部は，外部からの直流電流を供給することで動作するか，若しくは給電線に重畳された直流電流で動作するよう構成され，前記固定基部と前記可動基部とは，各基部の長手方向の一方側において枢着され，その枢着点を回転軸として，前記固定基部の一側面と前記可動基部の一側面とが対抗配置され，前記固定基部の長手方向の軸線と，前記可動基部の長手方向の軸線とが並行配置された位置から，前記各軸線が直交配置される位置に回転自在に固着されるよう構成され，前記固定基部には，前記固定基部と前記可動基部とを閉じた状態にした時に，前記可動基部方向に配設されるように，前記回転軸に直交する固定基部における両側面の端部から，相互に所定の寸法を離して任意の大きさで延設された，少なくとも２つの係止片を突設させ，前記可動基部には，前記固定基部と前記可動基部とを閉じた状態にした時に，前記固定基部方向に配設されるように，前記回転軸に直交する可動基部における両側面の端部から，相互に所定の寸法を離して任意の大きさで延設された，少なくとも２つの係止片を突設させた。 
【０００６】
請求項２の発明は，請求項１に記載のアンテナ装置において，前記信号増幅部はシールドケースに収納される。
【０００７】
請求項３の発明は，請求項１又は請求項２に記載のアンテナ装置は，ＶＨＦ帯受信用とＵＨＦ帯受信用のアンテナであるように構成される。
【発明の効果】
【０００８】
請求項１の発明によれば，アンテナ装置において，当該アンテナ装置は，異なる周波数帯を受信するために，少なくとも２つのアンテナを具備した固定基部と，当該アンテナの出力を所定レベルまで増幅する増幅回路と，増幅した後の信号を合成して出力する合成回路とからなる信号増幅部を具備した可動基部とからなり，前記信号増幅部は，外部からの直流電流を供給することで動作するか，若しくは給電線に重畳された直流電流で動作するよう構成され，前記固定基部と前記可動基部とは，各基部の長手方向の一方側において枢着され，その枢着点を回転軸として，前記固定基部の一側面と前記可動基部の一側面とが対抗配置され，前記固定基部の長手方向の軸線と，前記可動基部の長手方向の軸線とが並行配置された位置から，前記各軸線が直交配置される位置に回転自在に固着されるよう構成され，前記固定基部には，前記固定基部と前記可動基部とを閉じた状態にした時に，前記可動基部方向に配設されるように，前記回転軸に直交する固定基部における両側面の端部から，相互に所定の寸法を離して任意の大きさで延設された，少なくとも２つの係止片を突設させ，前記可動基部には，前記固定基部と前記可動基部とを閉じた状態にした時に，前記固定基部方向に配設されるように，前記回転軸に直交する可動基部における両側面の端部から，相互に所定の寸法を離して任意の大きさで延設された，少なくとも２つの係止片を突設させたので，
アンテナ装置を使用する場合においては，このアンテナ装置を取り付ける例えばノート型パーソナルコンピューターのような電子機器に対して，その液晶モニタの上角部に簡単に載置することによって，ノートパソコンに備えたＲＦ入力端子とを最短の伝送線で接続でき，無駄な伝送損失を生じないため更に安定した受信ができると共に，ノートパソコン周辺にアンテナ装置を置くスペースを確保する必要がなく設置の容易性において優れたアンテナ装置を提供できる。
また，アンテナ装置に具備された信号増幅装置にはパソコンのＵＳＢ端子から電源供給することもでき，外付けのＡＣアダプター等の電源装置を必要としないので，ノートパソコンの設置場所が限定されることが無い汎用性の高いアンテナ装置を提供できるのである。
更に，アンテナを使用しない場合や，製品出荷時のような場合には，本願のアンテナ装置は固定基部と可動基部とを折畳むことで，このアンテナ装置の収納時にスペースを取られないといった取扱性が良く，出荷時の梱包材料が小さくて済み，これによって製品のコストが安くなる，といった特徴のあるアンテナ装置を提供することができる。
【０００９】
請求項２の発明によれば，請求項１に記載のアンテナ装置において，前記信号増幅部はシールドケースに収納したので，
アンテナ装置を取り付ける例えばノート型パーソナルコンピューターのような電子機器から出る妨害波に対して，その妨害波を排除でき安定した信号の受信ができるアンテナ装置を提供できるのである。
【００１０】
請求項３の発明によれば，請求項１又は請求項２に記載のアンテナ装置は，ＶＨＦ帯受信用とＵＨＦ帯受信用のアンテナであるように構成したので，
例えばノート型パーソナルコンピューターでＴＶを受信するのに最適なアンテナ装置を提供することができる。
【発明を実施するための最良の形態】
【００１１】
以下に，本発明を具体化したアンテナ装置の実施形態の例を，図面を基に詳細に説明する。
図１は本願の実施例を示す図であり，（ａ）は正面図，（ｂ）は側面図，（ｃ）は上面図を示す。図２は側面から見た一部拡大分解図である。図３は本願に係るアンテナ装置の使用例を示す。
尚，以下の説明では特に明記しない限り，図１においてアンテナの立設方向を上方向とした時の状態を基準として位置の説明を行う。
【実施例１】
【００１２】
図１，図２は本願に係るアンテナ装置１の実施例を示すものであり，この図において１０は固定基部であり，２０は可動基部である。
本願の実施例では固定基部１０にはＶＨＦ用のロッドアンテナ２と，固定基部１０の内部に配設された図示されていないＵＨＦ用のアンテナとが備えられており，ＶＨＦとＵＨＦ帯域のテレビ信号を受信することができるように構成されている。固定基部１０は合成樹脂材で金型成形されたものであり，前記ロッドアンテナ２が，相互に所定間隔離れた位置にあって，上方に向かって配設されるよう横長で，断面略四角形状に成形されており，当該固定基部１０の内部にはＵＨＦ用のアンテナであって，例えばアンテナ素材としての導電線材を用いフォールデッドダイポールを構成するよう所定の形状に配設できる空間が備えさせてある。
尚，本願の実施例では詳細は図示されていないが，この固定基部１０は例えば一端を開口した固定基部箱体１２とこの開口部を封鎖する固定基部蓋体１３とから構成するように，前後方向に２つの部材から構成している。
【００１３】
更に前記固定基部１０の一方側であって，前記ロッドアンテナ２の取付面と対向する面，所謂固定基部１０の下面から下方向に向かって枢着部１４が一体に形成されている。この枢着部１４には前後方向に枢着軸１４ａ，１４ｂが突設させてある。更にこの枢着部１４の内部には，前記ロッドアンテナ２と，図示されていないフォールデッドダイポールからの給電線１５，１６が配設される空間が形成されている。また前記枢着部１４の下端部には，枢着部１４の内部に形成された空間と連設させて，前記給電線１５，１６を引き出すことができる引出孔１４ｃが形成されている。
【００１４】
また，固定基部１０の他方側であって，固定基部１０の前方向（例えば，固定基部箱体１２）と後方向（例えば，固定基部蓋体１３）の側面下端部から下方向に突設させた少なくとも２つの係止片１２ａ，１３ａが延設されている。
この係止片１２ａと１３ａとの前後方向間隔は相互に所定寸法だけ離して成形されていると共に，左右方向に対しては，同じ位置関係にあっても良いし，相互に任意の間隔離れた位置となるように成形されている。
【００１５】
次に可動基部２０について説明する。本願の実施例では可動基部２０の内部には，前記固定基部１０に具備した各アンテナからの給電線を介して引き込まれた信号を，夫々所定レベルまで増幅する増幅回路と，増幅した後の信号を合成して出力する合成回路とからなる信号増幅部２１を収納するように，詳細は図示されていないが，例えば一端を開口した可動基部箱体２２と，この開口部を封鎖する可動基部蓋体２３とから構成するように，前後方向に２つの部材から構成されている。
本願の実施例によれば，可動基部２０は合成樹脂材で金型成形されたものであり，この可動基部２０の一方側には，前記固定基部１０の引出孔１４ｃから引き出された前記各アンテナからの給電線を導入する導入孔２４ｃが形成されると共に，前記枢着部１４に枢着させる挟持部２４が形成されている。
この挟持部２４は前記可動基部箱体２２に形成した枢着孔２４ｂと前記可動基部蓋体２３に形成された枢着孔２４ａとからなる。
【００１６】
更に，この可動基部２０の内部には，前記導入孔２４ｃに連設させた，前記給電線を導入するための導入部と，前記信号増幅部２１を収納する収納部と，前記信号増幅部２１から引き出され，当該信号増幅部２１で増幅・合成された信号を伝送する伝送線２６や，信号増幅部に電源を供給するための接続線２５を引き出すための引出孔２４が直線方向に配設されるよう各空間が備えられており，これによって可動基部２０は上下方向に縦長で，断面略四角形状に成形されている。
また，可動基部２０の他方側であって，可動基部２０の前方向（例えば，可動基部箱体２２）と後方向（例えば，可動基部蓋体２３）の側面右側端部から右方向に突設させた少なくとも２つの係止片２２ａ，２３ａが延設されている。
この係止片２２ａと２３ａとの前後方向間隔は相互に所定寸法だけ離して成形されていると共に，上下方向に対しては，同じ位置関係にあっても良いし，相互に任意の間隔離れた位置となるように成形されている。
【００１７】
次に，信号増幅部２１について説明する，本願の実施例の信号増幅部は，ＶＨＦアンテナ２において受信された信号を所定レベルまで増幅するＶＨＦ増幅回路と，ＵＨＦアンテナにおいて受信された信号を所定レベルまで増幅するＵＨＦ増幅回路と，前記各増幅回路において所定レベルまで増幅されたＶＨＦ信号とＵＨＦ信号とを合成して出力する合成回路とがプリント配線板上に配設されている。また本願の信号増幅部２１は，外部からの妨害信号が増幅回路等に妨害を与えることのないように，金属材料等を折り曲げ成形したシールドケース２１ａに収納させた構成となっている。
【００１８】
この信号増幅部２１の入力側には，前記各アンテナからの給電線１５，１６が接続されると共に，この信号増幅器２１の出力側に一方を接続すると共に，他方にはこのアンテナ装置が設置される対象物の接続端子に対応した接続端子を具備した，出力信号の伝送線２６や電源線２５等が接続された後に，この信号増幅器２１等を可動基部２０に収納する。
【００１９】
尚，本願の実施例のアンテナ装置１が設置される対象物の好適な例として，ノート型のパーソナルコンピューター（以下，ノートパソコンと記載する。）があり，このノートパソコンと接続するためには，アンテナ装置とノートパソコンとを接続する伝送線２６は同軸ケーブルであり，その開放された端部には，前記ノートパソコンに対応した例えばミニプラグ２６ａが備えさせてあり，前記アンテナ装置に電源供給する電源線２５の開放端部には，ノートパソコンのＵＳＢ端子から電源供給を受けるためのＵＳＢ端子２５ａが備えさせてある。また，この実施例に限定されるものではなく，例えば可動基部２０の周面に何れかの位置に，外部から内部に収納した信号増幅器２１に電源供給可能なように電源供給端子を設け，ＡＣアダプターのような外付けの電源供給器から電源供給するように構成しても良い。また，前記同軸ケーブル２６に電源重畳して給電するように，前記同軸ケーブル２６に電源挿入器を設け，当該電源挿入器からＡＣアダプター等を介して電源供給するように構成しても良い。
【００２０】
次に，可動基部箱体２２に形成された枢着孔２４ｂを前記枢着軸１４ｂに枢着する。次に可動基部蓋体２３に形成された枢着孔２４ａを前記枢着軸１４ａに枢着しながら，前記箱体２２と前記蓋体２３とを固着するのである。このようにして，前記固体基部１０と可動基部２０とは，夫々の長手方向の一方側で枢着されることになる。本願の実施例によれば，前記固定基部１０と可動基部２０とは，各基部の長手方向の一方側において枢着され，その枢着点を回転軸として，前記固定基部１０の一側面と前記可動基部２０の一側面とが対抗配置され，前記固定基部１０の長手方向の軸線と，前記可動基部２０の長手方向の軸線とが並行配置された位置から，前記各軸線が直交配置される位置に回転自在に固着されるよう構成されている。
【００２１】
このように構成されたアンテナ装置１について，実際に使用する例について詳細に説明する。このアンテナ装置１は上述のように，固定基部１０と可動基部２０とは開閉自在に枢着されているので，製品出荷の状態にあるときや，持ち運ぶ時，収納時などの場合，固定基部１０と可動基部２０とは相互に対向するように閉じた状態にすれば，その外形寸法が小さくでき，出荷時の梱包材の削減が可能となり，延いては製品単価の低減化ができる。またユーザーの立場で考えれば，このアンテナ装置を携帯したり，未使用時に収納したりするときなどの場合において，省スペースとなり使い勝手の良いアンテナ装置が提供できるのである。                            
【００２２】
次に，このアンテナ装置１を用いる最適な例として，テレビチューナーを内蔵したノート型のパーソナルコンピューターでもって，ＶＨＦとＵＨＦのテレビ信号を受信するために使用する例を説明する。
先ず，本願の実施例に示すアンテナ装置１の固定基部１０と可動基部２０とを相互に直交するように開いた状態にする。次にノートパソコンの液晶モニタを開いて使用する状態にしてから，当該液晶モニタの左上にアンテナ装置の固定基部の下面と可動基部の右側側面とが，液晶モニタの上面と側面とに当接するように載置するのである。このとき液晶モニタの上面が，前記固定基部１０の前側面と後側面の下端部から下方向に延設された係止片１２ａ，１３ａとの間に位置すると共に，液晶モニタの左側面が，前記可動基部２０の前側面と後側面の右端部から右方向に延設された係止片２２ａ，２３ａとの間に位置するように載置するのである。このようにアンテナ装置１をノートパソコンに取り付けたのならば，前記アンテナ装置から引き出された伝送線２６を，ノートパソコンのＲＦ入力端子に接続すると共に，前記アンテナ装置に内蔵させた信号増幅部２１に電源を供給するための電源線２５を，ノートパソコンのＵＳＢ端子に接続する。
【００２３】
このように本願のアンテナ装置１によれば，製品出荷の状態にあるときや，持ち運ぶ時，収納時などの場合，固定基部１０と可動基部２０とは相互に対向するように閉じた状態にすれば，その外形寸法が小さくでき，出荷時の梱包材の削減が可能となり，延いては製品単価の低減化ができる。またユーザーの立場で考えれば，このアンテナ装置を携帯したり，未使用時に収納したりするときなどの場合において，省スペースとなり使い勝手の良いアンテナ装置が提供できる。また使用の状態にいては，固定基部１０と可動基部２０とを開いた状態に変形させて，例えばノートパソコンの液晶モニタ等の上面角部に容易に載置できることから，ノートパソコンでテレビを見るような場合に，テレビ端子から同軸ケーブルを引き回すことも無く簡単にテレビを見ることができるといった設置の容易性を有したアンテナ装置を提供できる。
【００２４】
また，従来のテレビ受信用の室内アンテナを使用してテレビを見るような場合と比較しても，本願のアンテナ装置を用いることにより，例えばノートパソコンを置く場所さえあれば，アンテナ装置を設置する場所を設けたり検討したりすることも必要無く，スペースを有効に利用してノートパソコンを利用できるといった有効性の高いアンテナ装置を提供できるのである。
尚，本願の実施例においては，発明に係るアンテナ装置をノートパソコンの液晶モニタに取付ける例を示したが，この実施例に限定されるものではなく，ディスクトップ型のパソコンの液晶モニタに使用しても良いし，現在主流になりつつある，液晶やプラズマディスプレイからなる薄型のテレビ受信機のアンテナ装置としても利用できることは言うまでもない。
尚，本発明は上記実施の形態に限定されるものではなく，本発明の趣旨を逸脱しない範囲で各部の構成を適宜に変更して実施することも可能である。
【図面の簡単な説明】
【００２５】
【図１】本願の実施例を示す図であり，（ａ）は正面図，（ｂ）は側面図，（ｃ）は上面図を示す。
【図２】本願に係るアンテナ装置の要部拡大図である。
【図３】本願に係るアンテナ装置の使用例を示す。
【符号の説明】
【００２６】
１…アンテナ装置，２…ロッドアンテナ，１０…固定基部，１２…固定基部箱体，１２ａ…係止片，１３…固定基部蓋体，１３ａ…係止片，１４…枢着部，１４ａ・１４ｂ…枢着軸，１４ｃ…引出孔，１５・１６…給電線，２０…可動基部，２１…信号増幅部，２１ａ…シールドケース，２２…可動基部箱体，２２ａ…係止片，２３…可動基部蓋体，２３ａ…係止片，２４…挟持部，２４ａ・２４ｂ…枢着孔，２４ｃ…導入孔，２５…電源線，２５ａ…ＵＳＢ端子，２６…同軸ケーブル，２６ａ…ミニプラグ端子
【図１】
2005354213.tif 000003
【図２】
2005354213.tif 000004
【図３】
2005354213.tif 000005